(57)【要約】      （修正有）【課題】携帯電話の本体の上部に耳に掛けて吊るす掛け部材と、携帯電話の本体の下部に耳に掛けるゴム紐を取りつけて携帯電話を両耳で吊るして通話できる携帯電話。【解決手段】携帯電話の本体の上部に、携帯電話を吊るす掛け部材の孔を設けて掛け部材を孔に差込、掛け部材で携帯電話を耳に掛けて吊るす、携帯電話本体の下部に耳掛けるゴム紐を掛けて止める突起を設け、突起にゴム紐の先端の輪を掛け止めてゴム紐を耳に掛けて携帯電話を吊るすので通話中でも両手がつかえる。【選択図】図１
0003139434.tif 000002
【実用新案登録請求の範囲】
【請求項１】
携帯電話本体の上部の両側の部分に、耳に掛ける部材を止める孔を設ける、止め孔は携帯本体に取り付けて固定する、耳掛け部材の先端を止め孔にはめ込み携帯電話を吊るして耳掛け部材を耳に掛け携帯電話を耳でつるす。止め孔にはめ込んだ耳掛け部材は前後の動きが自在であるので、耳に掛けやすい。
携帯電話本体の下部の両側の部分に、耳に掛けるゴム紐を止める突起を設ける、ゴム紐を止める突起は本体に取り付け固定する、耳に掛けるゴム紐の先端の先に輪をつくりゴム紐の止める突起に輪を掛けゴム紐で携帯電話を耳でつるす、携帯電話の耳掛け部材と耳掛けゴム紐は取りつけ取り外すしができる携帯電話。
【請求項２】
携帯電話を両耳で吊るして通話ができる携帯電話。
【考案の詳細な説明】
【技術分野】
【０００１】  本考案は、携帯電話に、耳に掛ける吊り掛け部材と、反対側の耳に掛けて吊るすゴム紐をつけて、両耳で携帯電話を吊るして通話中でも両手が使える携帯電話。
【背景技術】
【０００２】  携帯電話での通話をする場合、携帯電話をかた手で持って耳にあてがい会話をするため両手の使用は困難である。
【考案の開示】
【考案が解決しようとする課題】
【０００３】  携帯電話の通話は、かた手で携帯電話を耳にあてがって使用するため、通話中での両手の使用は困難である、従って、携帯電話に吊り掛け部材と、耳に掛けるゴム紐を使い両耳で携帯電話を吊りさげて、通話中でも両手が使えることができるので、前述欠点を解決した。【０００４】  本考案は、携帯電話の上部の両側に、耳に掛け部材を止める孔を設けて、吊り掛け部材を止め孔に取りつけて耳に掛ける、下部の両側に、耳に掛ゴム紐を止める掛止突起部を設けて、ゴム紐の先端の輪を突起部に掛けて携帯電話を両耳でつるす。
【考案の効果】
【０００５】  上述の様に、本考案は携帯電話の通話中でも、両手が使えることにより、通話中での両手での使用が可能になる。
【考案を実施するための最良の形態】
【０００６】  携帯電話本体の上部の両側の部分に、耳掛ける部材の止め孔は、携帯電話本体に固定する、耳掛け部材は止め孔にはめる、耳掛け部材は止め孔にはめた後前後の動きが自在である、耳掛け部材は、弾力があるので取り付け取り外すしができる、携帯電話の本体の下部の両側の部分に耳掛、け突起を固定する、耳掛けゴム紐は両端の輪でゴム紐止め突起にかけて取り付ける、耳掛けゴム紐は取り付け取り外すしができる。
【実施例】
【０００７】  以下、添付図面に従って一実施例を説明する、図の１は携帯電話本体を開いた上部である、図の１の２は携帯電話本体を開いた下部である、図の１の３は耳に掛ける吊り部材である、図の１の４は耳掛け部材を止め孔である、図の１の５は耳掛け吊りゴム紐である、図の１の６はゴム紐を止め掛ける突起である。【０００８】  携帯電話を吊り部材と、吊りゴム紐で、両耳で吊るして携帯電話の上部を耳にあてて、下部を口もとにあてることができる。【０００９】  本考案の一実施例は上述の如き構成からなるものであるから、携帯電話を両耳で吊るして通話がてきるので、通話中でも両手が使えるのと、携帯電話の吊り掛け部材と吊り掛けゴム紐は取り付、取り外ずしが簡単にできるので、携帯電話に吊り部材と、吊り掛けゴム紐を取り付けたままでの持ち歩きができるが、吊り部材と吊り掛けゴム紐をはずしておいて、必要のときに携帯電話に取りつけて使用することもできる。
【図面の簡単な説明】
【００１０】
【図１】  本考案の携帯電話に耳掛け吊り部材と、耳掛け吊りゴム紐をとりつけた斜視図である。
【図２】  本考案の耳掛け吊り部材の斜視図である。
【図３】  本考案の耳掛け吊りゴム紐の斜視図である。
【符号の説明】
【００１１】    １携帯電話本体の上部
２携帯電話本体の下部
３耳掛け吊り部材
４耳掛け吊り部材のとりつけ孔
５耳掛け吊りゴム紐
６耳掛け吊りゴム紐の止め突起
【図１】
0003139434.tif 000003
【図２】
0003139434.tif 000004
【図３】
0003139434.tif 000005
【手続補正書】
【提出日】平成19年11月29日(2007.11.29)
【手続補正１】
【補正対象書類名】実用新案登録請求の範囲
【補正対象項目名】全文
【補正方法】変更
【補正の内容】
【実用新案登録請求の範囲】
【請求項１】
細長板状に形成され、両側面に一対の止め孔が凹設された上部本体と、細長板状に形成され、両側面に一対のゴム紐止め突起が突設された下部本体とを有し、上部本体の長手方向の一側と、下部本体の長手方向の他側が一体に連結され、展開状態で、上部本体と下部本体とが直線状に一体に連結される携帯電話本体と、
アーチ状の両端が、前記上部本体の一対の止め孔にそれぞれ嵌合する耳掛け部材と、
前記一対のゴム紐止め突起にそれぞれ掛け止め自在のループが両端に形成されたゴム紐とを備え、
上部本体に取り付けられた耳掛け部材を一方の耳に、下部本体に取り付けられたゴム紐を他方の耳へ掛け、展開状態の携帯電話本体を、両耳で吊り下げ自在としたことを特徴とする携帯電話。
【手続補正２】
【補正対象書類名】明細書
【補正対象項目名】全文
【補正方法】変更
【補正の内容】
【考案の詳細な説明】
【技術分野】
【０００１】
本考案は、両耳で携帯電話を吊るし、通話中でも両手が使える携帯電話に関する。
【背景技術】
【０００２】
携帯電話での通話をする場合、携帯電話をかた手で持って耳にあてがい会話をするため両手の使用は困難である。
【考案の開示】
【考案が解決しようとする課題】
【０００３】
携帯電話の通話は、かた手で携帯電話を耳にあてがって使用するため、通話中での両手の使用は困難である。本考案は、この問題に鑑み、耳掛け部材と、耳に掛けるゴム紐を使い、両耳で携帯電話を吊りさげて、通話中でも両手が使えることができる携帯電話を提供することを目的とする。
【課題を解決するための手段】
【０００４】
上述の目的を達成するため、請求項１の携帯電話は、細長板状に形成され、両側面に一対の止め孔が凹設された上部本体と、細長板状に形成され、両側面に一対のゴム紐止め突起が突設された下部本体とを有し、上部本体の長手方向の一側と、下部本体の長手方向の他側が一体に連結され、展開状態で、上部本体と下部本体とが直線状に一体に連結される携帯電話本体と、アーチ状の両端が、前記上部本体の一対の止め孔にそれぞれ嵌合する耳掛け部材と、前記一対のゴム紐止め突起にそれぞれ掛け止め自在のループが両端に形成されたゴム紐とを備え、上部本体に取り付けられた耳掛け部材を一方の耳に、下部本体に取り付けられたゴム紐を他方の耳へ掛け、展開状態の携帯電話本体を、両耳で吊り下げ自在としたことを特徴とする。
【０００５】
携帯電話本体の上部本体の両側に、耳掛け部材の両端をはめる止め孔を設け、耳掛け部材を止め孔に取りつけて、上部本体を耳に掛ける。下部本体の両側に、ゴム紐を掛けるゴム紐止め突起を設けて、ゴム紐の先端のループをゴム紐止め突起に掛けて、下部本体を他方の耳で吊るし、携帯電話を両耳でつるす。
【考案の効果】
【０００６】
請求項１の考案によれば、携帯電話の通話中でも、両手が使えることにより、通話中での両手での使用が可能になる。
【考案を実施するための最良の形態】
【０００７】
携帯電話本体の上部本体の両側の部分の止め孔に耳掛け部材の両端をはめ、耳掛け部材を、携帯電話本体に固定する。耳掛け部材は止め孔にはめた後前後の動きが自在である。耳掛け部材は、弾力があるので取り付け取り外すしができる。携帯電話本体の下部本体の両側の部分にゴム紐止め突起を固定する。ゴム紐の両端のループをゴム紐止め突起にかけて取り付ける。ゴム紐は、取り付け取り外すことができる。
【実施例】
【０００８】
以下、添付図面に従って一実施例を説明する、図１において、１は、携帯電話本体を開いた上部本体、２は、携帯電話本体を開いた下部本体である。また、３は、耳に掛ける耳掛け部材であり、４は、耳掛け部材３を取り付ける止め孔、５は、耳に掛ける吊りゴム紐、６は、ゴム紐５を止め掛けるゴム紐止め突起である。
【０００９】
携帯電話本体の上部本体１の両側の部分に、耳に掛ける耳掛け部材３を取り付ける止め孔４を設ける。耳掛け部材３の先端を止め孔４に嵌め込み、耳掛け部材３を耳に掛け携帯電話を耳でつるす。止め孔４に嵌め込んだ耳掛け部材３は前後の動きが自在であるので、耳に掛けやすい。
【００１０】
携帯電話本体の下部本体２の両側の部分に、耳に掛けるゴム紐５を止めるゴム紐止め突起６を設ける。耳に掛けるゴム紐５の先端の先に輪をつくり、ゴム紐止め突起６に輪を掛け、ゴム紐５で携帯電話を耳でつるす。耳掛け部材３とゴム紐５は、それぞれ携帯電話本体に取りつけ取り外しができる。
【００１１】
携帯電話を耳掛け部材３と、吊りゴム紐５で、両耳で吊るして携帯電話の上部本体１を耳にあてて、下部本体２を口もとにあてることができる。
【００１２】
本考案のー実施例は上述の如き構成からなるものであるから、携帯電話を両耳で吊るして通話ができるので、通話中でも両手が使える。携帯電話の耳掛け部材と吊り掛けゴム紐は、取り付け、取り外ずしが簡単にできるので、携帯電話に耳掛け部材と、吊り掛けゴム紐を取り付けたままでの持ち歩きができるが、耳掛け部材と吊り掛けゴム紐をはずしておいて、必要のときに携帯電話に取りつけて使用することもできる。
【図面の簡単な説明】
【００１３】
【図１】本考案の携帯電話に耳掛け部材３と、ゴム紐５をとりつけた斜視図である。
【図２】本考案の耳掛け部材３の斜視図である。
【図３】本考案のゴム紐５の斜視図である。
【符号の説明】
【００１４】
１  携帯電話本体の上部本体
２  携帯電話本体の下部本体
３  耳掛け部材
４  止め孔
５  ゴム紐
６  ゴム紐止め突起